(57)【要約】【課題】  本発明はフロントアンダランプロテクタに係り、シャシフレームへの取付けに当たり、部品点数の削除を可能としたフロントアンダランプロテクタを提供することを第一の目的とする。そして、軽衝突時のラジエータの保護を図ったフロントアンダランプロテクタを提供することを第二の目的とする。【解決手段】  押出成形で角形の閉断面形状に成形されたフロントアンダランプロテクタであって、その背面側に少なくとも上方へ突出するリブを設け、当該リブに、トラックのシャシフレームに取り付く左右一対の車両側ブラケットを取付可能としたことを特徴とする。  また、上方に突出するリブは、トラックのフロントバンパの裏面側に装備された部品と、当該部品の後方に装備されたラジエータとの間に突出していることを特徴とする。【選択図】    図１
2014104929.tif 000002
【特許請求の範囲】
【請求項１】
押出成形で角形の閉断面形状に成形されたフロントアンダランプロテクタであって、
その背面側に少なくとも上方へ突出するリブを設け、当該リブに、トラックのシャシフレームに取り付く左右一対の車両側ブラケットを取付可能としたことを特徴とするフロントアンダランプロテクタ。
【請求項２】
上方に突出する前記リブは、トラックのフロントバンパの裏面側に装備された部品と、当該部品の後方に装備されたラジエータとの間に突出していることを特徴とする請求項１に記載のフロントアンダランプロテクタ。
【発明の詳細な説明】
【技術分野】
【０００１】
本発明は、トラックと乗用車の正面衝突時に、乗用車がトラックの下部にもぐり込んでしまうことを防止するフロントアンダランプロテクタに関する。
【背景技術】
【０００２】
トラックと乗用車が正面衝突した場合、乗用車がトラックの下部にもぐり込んでしまう虞がある。
【０００３】
そこで、衝突した乗用車がトラックの下部にもぐり込むことを防止する衝突安全装置として、昨今、特許文献１または特許文献２に開示されるようなフロントアンダランプロテクタをフロントバンパの下方に装備することが義務づけられた。
【０００４】
フロントアンダランプロテクタは、トラックの車幅方向全体に配置される大型部品で、一例として角形の閉断面形状に形成された中空な鋼材からなり、その中央の車幅方向の２箇所に、図３に示す取付ブラケット１が取り付けられている。そして、図示しないシャシフレームの左右のサイドレールから下方へ突き出た左右一対の車両側ブラケット３に取付ブラケット１がボルト締めされて、フロントアンダランプロテクタ５がフロントバンパの下方に装備されている。
【０００５】
尚、フロントアンダランプロテクタは車両衝突時の荷重を受ける構造上、衝突時の荷重に耐え得る強度が要求され、その取付要件も衝突後の変位量が車両前端から４００ｍｍ以下とされている。
【０００６】
ところで、昨今、性能の向上に伴う部品の増加や補器類の追加等により、フロントバンパの裏面側に例えばフィンチューブ（パワステ配管）が装着されている。そして、フィンチューブの後方にラジエータが配置されている。
【先行技術文献】
【特許文献】
【０００７】
【特許文献１】特開２００３−２７６５３６号公報
【特許文献２】特開２０００−２７２４４４号公報
【発明の概要】
【発明が解決しようとする課題】
【０００８】
しかし、例えばこのようにフロントバンパの裏面側にフィンチューブが装備されていると、車両の軽衝突時にフロントバンパが陥没し、これに伴いフィンチューブが後方へ移動してラジエータを損傷してしまう虞があった。
【０００９】
このため、軽衝突事故にも係わらず、フロントバンパの修理，交換に加え、ラジエータの交換も必要となって修理費がかかってしまう欠点があった。
【００１０】
また、既述したようにシャシフレームへのフロントアンダランプロテクタの取付け時に、フロントアンダランプロテクタに図３の取付ブラケット１を取り付ける必要があるが、フロントアンダランプロテクタの取付けに当たり、その作業性の改善が望まれていた。
【００１１】
本発明は斯かる実情に鑑み案出されたもので、シャシフレームへのフロントアンダランプロテクタの取付けに当たり、部品点数の削除を可能としたフロントアンダランプロテクタを提供することを第一の目的とする。
【００１２】
そして、フロントバンパの下方に装備されたフロントアンダランプロテクタに着目し、これに改良を加えて、軽衝突時のラジエータの保護を図ったフロントアンダランプロテクタを提供することを第二の目的とする。
【課題を解決するための手段】
【００１３】
斯かる目的を達成するため、請求項１に係る発明は、押出成形で角形の閉断面形状に成形されたフロントアンダランプロテクタであって、その背面側に少なくとも上方へ突出するリブを設け、当該リブに、トラックのシャシフレームに取り付く左右一対の車両側ブラケットを取付可能としたことを特徴とする。
【００１４】
そして、請求項２に係る発明は、請求項１に記載のフロントアンダランプロテクタにおいて、上方に突出する前記リブは、トラックのフロントバンパの裏面側に装備された部品と、当該部品の後方に装備されたラジエータとの間に突出していることを特徴とする。
【発明の効果】
【００１５】
請求項１に係る発明によれば、シャシフレームへのフロントアンダランプロテクタの取り付けに当たり、フロントアンダランプロテクタへの取付ブラケットの取付けを省略し、リブへの車両側ブラケットの取付けを可能としたので、部品点数の削除によって作業性の改善が図られることとなる。
【００１６】
而も、押出成形によりフロントアンダランプロテクタの後方にリブを立てることで、余計な重量増加を防ぎつつ、フロントアンダランプロテクタの剛性を上げることができる。
【００１７】
また、請求項２に係る発明によれば、車両の軽衝突時に、上方に突出するリブが、フロントバンパの裏面側に配置された部品によるラジエータの損傷を防止するので、従来に比し衝突の被害損失を最小限に抑えることが可能となる。
【図面の簡単な説明】
【００１８】
【図１】本発明の一実施形態に係るフロントアンダランプロテクタと車両側ブラケットとの接続状態を示すフロントアンダランプロテクタの背面側斜視図である。
【図２】フロントアンダランプロテクタとフィンチューブ，ラジエータの位置関係の説明図である。
【図３】車両側ブラケットに接続される従来のフロントアンダランプロテクタの背面側斜視図である。
【発明を実施するための形態】
【００１９】
以下、本発明の実施形態を図面に基づいて説明する。
【００２０】
図１はトラックのシャシフレームに取り付く本発明の一実施形態に係るフロントアンダランプロテクタの背面側斜視図を示し、図中、７はトラックのシャシフレーム９の左側サイドレールで、サイドレール７の先端に図３の車両側ブラケット３がボルト締めされている。また、図示しないがシャシフレームの右側サイドレールも車両側ブラケットがボルト締めされている。
【００２１】
そして、左右の車両側ブラケット３に、フロントアンダランプロテクタ１１が取り付けられている。
【００２２】
図１，図２に示すようにフロントアンダランプロテクタ１１は、アルミ押出成形によって閉断面四角形状に成形されるとともに、その背面側の側壁１３に沿って上方と下方へ突出する２つのリブ１５，１７が、フロントアンダランプロテクタ１１の全長に亘って設けられている。
【００２３】
そして、側壁１３と上方に突出するリブ１５にボルト挿通穴（図示せず）が形成されて、側壁１３とリブ１５に車両側ブラケット３がボルト締めされており、図２に示すようにシャシフレーム９に取り付くフロントアンダランプロテクタ１１は、フロントバンパ１９の下方に配置されている。
【００２４】
尚、本実施形態では、下方へ突出するリブ１７にボルト挿通穴を設けていないが、車両側ブラケットの仕様に応じてリブ１７にもボルト挿通穴が形成される。
【００２５】
図２に示すようにフロントバンパ１９の背面側にはフィンチューブ（パワステ配管）２１が装着され、フィンチューブ２１の後方にオイルクーラ２３とラジエータ２５が前後に並列して配置されている。そして、図示するようにリブ１５は、フィンチューブ２１とオイルクーラ２３との間に長尺に突出している。尚、下方に突出するリブ１７は、アプローチアングルを考慮してその長さが設定されている。
【００２６】
その他、図２中、２７はキャブ２９のフロントパネル、３１はキャブ２９内に装着されたフレームで、フレーム３１の下部にフィンチューブ２１が支持されている。
【００２７】
本実施形態はこのように構成されており、図１に示すように側壁１３とリブ１５に車両側ブラケット３がボルト締めされてフロントアンダランプロテクタ１１がシャシフレーム９に取り付き、図２に示すようにフロントアンダランプロテクタ１１はフロントバンパ１９の下方に配置されている。
【００２８】
そして、車両（図示せず）が正面からフロントアンダランプロテクタ１１（トラック）に衝突すると、従来と同様、フロントアンダランプロテクタ１１がこれを受けて車両がトラックの下部にもぐり込むことを防止する。
【００２９】
また、車両の軽衝突時にフロントバンパ１９が陥没し、これに伴いフィンチューブ２１が後方へ移動すると、リブ１５がオイルクーラ２３，ラジエータ２５へのフィンチューブ２１の衝突を阻止して、フィンチューブ２１によるオイルクーラ２３とラジエータ２５の損傷を防止することとなる。
【００３０】
このように本実施形態は、車両の軽衝突時に、リブ１５が、フロントバンパ１９の裏面側に配置されたフィンチューブ２１によるオイルクーラ２３やラジエータ２５の損傷を防止するので、従来に比し衝突の被害損失を最小限に抑えることが可能となる。
【００３１】
また、シャシフレーム９へのフロントアンダランプロテクタ１１の取り付けに当たり、図３の取付ブラケット１を省略して、リブ１５と側壁１３への車両側ブラケット３の取付けを可能としたので、部品点数の削除によって作業性の改善が図られることとなる。
【００３２】
而も、アルミ押出成形により、フロントアンダランプロテクタ１１の後方にリブ１５，１７を立てることで、余計な重量増加を防ぎつつ、フロントアンダランプロテクタ１１の剛性を上げることができる利点を有する。
【００３３】
尚、前記実施形態では、フロントバンパ１１の裏面側にフィンチューブ２１を配置したが、フロントバンパ１１の裏面側に装着される部品はフィンチューブ２１に限定されるものではない。
【符号の説明】
【００３４】
３  車両側ブラケット
７  サイドレール
９  シャシフレーム
１１  フロントアンダランプロテクタ
１３  背面側の側壁
１５，１７  リブ
１９  フロントバンパ
２１  フィンチューブ
２３  オイルクーラ
２５  ラジエータ
【図１】
2014104929.tif 000003
【図２】
2014104929.tif 000004
【図３】
2014104929.tif 000005